(57)【要約】【課題】一方の記録媒体に記録された映像情報を他方の記録媒体に複製するものであって、複製の動作が完了したときに、ＣＥＣを利用して他機に所定動作を実行させることが容易に実現される映像記録装置を提供する。【解決手段】放送受信等によって取得した映像情報を、第１記憶媒体に記録する記録部と、第１記憶媒体に記録されている映像情報を、他の第２記憶媒体に書込んで複製する複製部と、ＨＤＭＩ規格のＣＥＣによる制御信号を生成し、他機に送信する信号送信部と、を備えた録画装置であって、前記信号送信部は、前記複製の動作が完了したとき、他機に所定動作を実行させるための前記制御信号を生成し、送信する映像記録装置とする。【選択図】図４
2010258488.tif 000002
【特許請求の範囲】
【請求項１】
放送受信等によって取得した映像情報を、第１記憶媒体に記録する記録部と、
第１記憶媒体に記録されている映像情報を、他の第２記憶媒体に書込んで複製する複製部と、
ＨＤＭＩ規格のＣＥＣによる制御信号を生成し、他機に送信する信号送信部と、
を備えた録画装置であって、
前記信号送信部は、
前記複製の動作が完了したとき、他機に所定動作を実行させるための前記制御信号を生成し、送信することを特徴とする映像記録装置。
【請求項２】
請求項１に記載の映像記録装置と、
複数の入力端子を備え、そのうちの有効に設定された入力端子に入力された映像情報を表示するものであり、該複数の入力端子の一つは、ＨＤＭＩケーブルを介して前記映像記録装置に接続されるＨＤＭＩ端子である映像表示装置と、
を有する映像処理システムであって、
前記信号送信部は、
前記複製の動作が完了したとき、前記映像表示装置に前記ＨＤＭＩ端子を有効に設定させるための前記制御信号（「設定指示信号」とする）を生成し、前記ＨＤＭＩケーブルを介して前記映像表示装置に送信するものであり、
前記映像表示装置は、
前記設定指示信号に応じて、前記ＨＤＭＩ端子を有効に設定することを特徴とする映像処理システム。
【請求項３】
前記映像表示装置は、
前記設定指示信号を受信した場合に、ユーザによる設定実行の指示を受付け、
前記設定実行の指示がなされた場合に、前記ＨＤＭＩ端子を有効に設定することを特徴とする請求項２に記載の映像処理システム。
【請求項４】
請求項１に記載の映像記録装置と、
ＨＤＭＩケーブルを介して前記映像記録装置から映像情報を受信し、表示する映像表示装置と、
を有する映像処理システムであって、
前記信号送信部は、
前記複製の動作が完了したとき、前記映像表示装置に所定のＯＳＤ表示を表示させるための前記制御信号（「表示指示信号」とする）を生成し、前記ＨＤＭＩケーブルを介して前記映像表示装置に送信するものであり、
前記映像表示装置は、
前記表示指示信号に応じて、ＯＳＤ表示を表示することを特徴とする映像処理システム。
【請求項５】
前記第１記憶媒体は、前記映像記録装置に内蔵されたＨＤＤであり、
前記第２記憶媒体は、ＤＶＤであることを特徴とする請求項２から請求項４の何れかに記載の映像処理システム。
【発明の詳細な説明】
【技術分野】
【０００１】
本発明は、放送受信等によって取得した映像情報を記録する映像記録装置、およびこれを備えた映像処理システムに関する。
【背景技術】
【０００２】
従来、テレビ放送等の映像を記録（録画）する映像記録装置が広く用いられている。また映像記録装置としては、複数の記録媒体を扱うことができる機種（例えば、ＨＤＤ／ＤＶＤレコーダ）も存在する。ＨＤＤ／ＤＶＤレコーダによれば、内蔵のＨＤＤを用いてテレビ放送の映像を録画しておき、この録画された映像を、事後的にＤＶＤを用いて複製するといったことが可能である。
【０００３】
また近年、上述した映像記録装置やテレビ受像機といったようなデジタルＡＶ機器の多くには、ＨＤＭＩ［High Definition Multimedia Interface］規格に準拠したインターフェース（ＨＤＭＩインターフェース）が標準搭載されている。ＨＤＭＩインターフェースを用いれば、映像や音声等のデータを、１本のケーブルで高速転送することが可能である。
【０００４】
またＨＤＭＩ規格においては、ＡＶ出力等の規格と共に、機器間双方が互いに制御を可能とするＣＥＣ［Consumer Electronics Control］の機能についても規定されている。ＣＥＣによれば、ＨＤＭＩインターフェースを有する機器同士で、制御コマンド等のやりとりが可能となり、１対１もしくは１対多の機器制御が可能となる。
【０００５】
ＣＥＣの一例としては、「One Touch Play 機能」が挙げられる。この機能によれば、例えばＨＤＤ／ＤＶＤレコーダの再生ボタンが押下されると、これに接続されているテレビ受像機は自動的に起動し、更に、このＨＤＤ／ＤＶＤレコーダからの情報入力を受付ける。その他、ＨＤＭＩ規格においては多種のＣＥＣ機能が定義されており、実際にどのＣＥＣ機能を採用するかについては、機器の製造元が任意に決定できる。なお、ＣＥＣを利用する機器は、例えば特許文献１に開示されている。
【先行技術文献】
【特許文献】
【０００６】
【特許文献１】特開２００８−５２８８７号公報
【発明の概要】
【発明が解決しようとする課題】
【０００７】
先述したＨＤＤ／ＤＶＤレコーダのような映像記録装置を用いて、一方の記録媒体（ＨＤＤ）に記録された映像情報を他方の記録媒体（ＤＶＤ）に複製させる場合、ユーザは通常、当該複製の動作を開始させた後、複製の動作が完了したか、或いは複製が正しく実行されたか等を、適宜確認しようとする。
【０００８】
そのため当該映像記録装置がテレビ受像機などに接続されている場合、映像記録装置において複製の動作が完了したときに、上述した確認に役立つ動作が他機において実行されると、ユーザにとって便利である。例えば、複製の動作が完了したときに、その旨を表すメッセージがテレビ受像機に表示されるようになっていると、ユーザは、複製の動作が完了したことを即座に知ることができる。
【０００９】
また例えば、複製の動作が完了したときに、テレビ受像機が備える各入力端子のうち、録画再生装置に接続されているものが有効に設定される（切替る）ようになっていると、ユーザは、複製が正しく実行されたかの確認（複製内容をテレビ受像機に表示させることで可能）等を、容易に行うことが可能となる。またこのような機能における機器間の通信については、既に確立しているＣＥＣの機能が利用されることにより、信頼性の高い通信が容易に実現可能である。
【００１０】
本発明は上述した事情に鑑み、一方の記録媒体に記録された映像情報を他方の記録媒体に複製するものであって、複製の動作が完了したときに、ＣＥＣを利用して他機に所定動作を実行させることが可能となる映像記録装置、および当該映像記録装置を有する映像処理システムの提供を目的とする。
【課題を解決するための手段】
【００１１】
上記目的を達成するため、本発明に係る映像記録装置は、放送受信等によって取得した映像情報を、第１記憶媒体に記録する記録部と、第１記憶媒体に記録されている映像情報を、他の第２記憶媒体に書込んで複製する複製部と、ＨＤＭＩ規格のＣＥＣによる制御信号を生成し、他機に送信する信号送信部と、を備えた録画装置であって、前記信号送信部は、前記複製の動作が完了したとき、他機に所定動作を実行させるための前記制御信号を生成し、送信する構成とする。
【００１２】
本構成によれば、複製の動作が完了したときに、他機に所定動作を実行させることが可能となる。そのため、例えば所定動作として、複製の動作が完了した旨のメッセージを表示する動作を採用することにより、ユーザは、複製の動作が完了したことを即座に知ることが可能となる。また機器間の通信については、既に確立されているＣＥＣが利用されるため、信頼性の高い通信が容易に実現される。
【００１３】
また本発明に係る映像処理システムは、上記構成の映像記録装置と、複数の入力端子を備え、そのうちの有効に設定された入力端子に入力された映像情報を表示するものであり、該複数の入力端子の一つは、ＨＤＭＩケーブルを介して前記映像記録装置に接続されるＨＤＭＩ端子である映像表示装置と、を有する映像処理システムであって、前記信号送信部は、前記複製の動作が完了したとき、前記映像表示装置に前記ＨＤＭＩ端子を有効に設定させるための前記制御信号（「設定指示信号」とする）を生成し、前記ＨＤＭＩケーブルを介して前記映像表示装置に送信するものであり、前記映像表示装置は、前記設定指示信号に応じて、前記ＨＤＭＩ端子を有効に設定する構成とする。
【００１４】
本構成によれば、複製の動作がなされている間に、映像表示装置においてＨＤＭＩ端子以外の入力端子が有効になっていても（例えばテレビ放送用の入力端子が有効になっていても）、複製の動作が完了したときには、ＨＤＭＩ端子が有効に設定される。そのためユーザは、複製が正しく実行されたかの確認（複製内容をテレビ受像機に表示させることで可能）等を、容易に行うことが可能となる。
【００１５】
また上記構成の映像処理システムにおいて、前記映像表示装置は、前記設定指示信号を受信した場合に、ユーザによる設定実行の指示を受付け、前記設定実行の指示がなされた場合に、前記ＨＤＭＩ端子を有効に設定する構成としてもよい。
【００１６】
本構成によれば、ＨＤＭＩ端子を有効に設定する動作が、ユーザの意に反して実行されることを、回避することが可能となる。
【００１７】
また上記構成の映像処理システムにおいて、上記構成の映像記録装置と、ＨＤＭＩケーブルを介して前記映像記録装置から映像情報を受信し、表示する映像表示装置と、を有する映像処理システムであって、前記信号送信部は、前記複製の動作が完了したとき、前記映像表示装置に所定のＯＳＤ表示を表示させるための前記制御信号（「表示指示信号」とする）を生成し、前記ＨＤＭＩケーブルを介して前記映像表示装置に送信するものであり、前記映像表示装置は、前記表示指示信号に応じて、ＯＳＤ表示を表示する構成としてもよい。
【００１８】
本構成によれば、複製の動作が完了したときに、映像表示装置にＯＳＤ表示が表示される。そのためユーザは、複製の動作が完了したことを即座に知ることができる。
【００１９】
また上記構成としてより具体的には、前記第１記憶媒体は、前記映像記録装置に内蔵されたＨＤＤであり、前記第２記憶媒体は、ＤＶＤである構成としてもよい。
【発明の効果】
【００２０】
本発明に係る映像記録装置によれば、複製の動作が完了したときに、他機に所定動作を実行させることが可能となる。そのため、例えば所定動作として、複製の動作が完了した旨のメッセージを表示する動作を採用することにより、ユーザは、複製の動作が完了したことを即座に知ることが可能となる。また機器間の通信については、既に確立されているＣＥＣが利用されるため、信頼性の高い通信が容易に実現される。
【図面の簡単な説明】
【００２１】
【図１】本発明の実施形態に係る映像処理システムの構成図である。
【図２】本発明の実施形態に係るＨＤＤ／ＤＶＤレコーダの構成図である。
【図３】本発明の実施形態に係るテレビ受像機の構成図である。
【図４】コピー完了報知処理に関するフローチャートである。
【図５】ＯＳＤ表示の表示状態に関する説明図である。
【発明を実施するための形態】
【００２２】
本発明の実施形態について、映像情報を処理する映像処理システムを挙げて以下に説明する。図１は、当該映像処理システムの構成図である。本図に示すように、当該映像処理システム９は、ＨＤＤ／ＤＶＤレコーダ（以下、「レコーダ」と略記する）１およびテレビ受像機２（デジタル放送受信機）を有し、両機はＨＤＭＩケーブル（ＨＤＭＩ規格に適合したケーブル）３によって接続されている。これにより両機は、映像情報やＣＥＣに関する情報等をやりとりすることが可能となっている。
【００２３】
またレコーダ１は、図２に示すように、映像音声取得部１１、映像音声処理部１２、ＨＤＭＩ端子１３、演算制御部１４、メモリ１５、操作部１６、ＨＤＤ［Hard Disk Drive］１７、およびＤＶＤドライブ１８などを備えている。
【００２４】
映像音声取得部１１は、各種の信号入力端子やチューナ等を備えており、テレビ放送局や外部機器から、映像および音声の信号を取得する機能部である。また映像音声処理部１２は、映像音声取得部１１によって取得された信号に所定の処理を施し、映像および音声情報を生成する。生成された映像および音声の情報は、演算制御部１４の指示に応じて、ＨＤＤ１７或いはＤＶＤドライブ１８に与えられたＤＶＤに記録されることになる。
【００２５】
ＨＤＭＩ端子１３は、ＨＤＭＩケーブルが取り付けられる端子である。映像処理システム９においては、ＨＤＭＩ端子１３にＨＤＭＩケーブル３が取り付けられ、テレビ受像機２に接続される。テレビ受像機２から入力された情報は、演算制御部１４に伝送される。
【００２６】
演算制御部１４は、例えばＣＰＵ等によって形成されており、レコーダ１の機能を発揮するために必要な各種処理を実行する。なお、レコーダ１において実行される処理の内容については、改めて説明する。またメモリ１５は、演算制御部１４に読み出されるプログラム等、各種の情報を記憶する。
【００２７】
操作部１６は、例えば、押しボタンスイッチやリモコン信号受信装置などを有しており、ユーザによって操作される。また操作の内容は、演算制御部１４に伝送される。これにより演算制御部１４は、ユーザの意図を反映させた処理を実行することが可能である。
【００２８】
ＨＤＤ１７は、レコーダ１に内蔵された大容量の記録媒体であり、演算制御部１４による情報の読み書きが可能となっている。またＤＶＤドライブ１８は、ＤＶＤが出し入れ自在となっており、演算制御部１４の指示に応じて、与えられたＤＶＤに対する情報の読み書きを行う。
【００２９】
またテレビ受像機２は、図３に示すように、ＡＶ信号入力端子２１、ＨＤＭＩ端子２２、放送信号入力端子２３、チューナ２４、ＤＥＭＵＸ回路２５、ＡＶデコーダ２６、映像音声処理部２７、ＰＤＰモジュール２８、スピーカ２９、第１〜第３信号経路（３０ａ〜３０ｃ）、演算制御部３１、メモリ３２、および操作部３３などを備えている。
【００３０】
ＡＶ信号入力端子２１は、例えばコンポーネント端子やＤ端子として形成されており、所定のケーブルを介して、外部機器からの映像信号および音声信号の入力を受付ける。入力された信号は、第１信号経路３０ａに供給される。
【００３１】
ＨＤＭＩ端子２２は、ＨＤＭＩケーブルが取り付けられる端子である。映像処理システム９においては、ＨＤＭＩ端子２２にＨＤＭＩケーブル３が取り付けられ、レコーダ１に接続される。レコーダ１から入力された信号は、演算制御部３１に伝送されるとともに、第２信号経路３０ｂに供給される。
【００３２】
放送信号入力端子２３は、不図示のアンテナ等に接続されており、外部からテレビ放送の信号が入力される。またチューナ２４は、放送信号入力端子２３から伝送されたテレビ放送の信号に対して選局処理を施し、ＤＥＭＵＸ回路２５を介してＡＶデコーダ２６に伝送する。なお、何れのチャンネルを選局するかは、操作部３３を通じたユーザの指示に基づいて決定される。
【００３３】
ＡＶデコーダ２６は、伝送されてきたテレビ放送の信号に対して復調処理などを施し、映像信号および音声信号を抽出する。このようにして得られた信号は、第３信号経路３０ｃに供給される。
【００３４】
映像音声処理部２７は、前段側から入力された映像信号や音声信号を処理するものであり、スイッチ２７ａ、映像処理回路２７ｂ、ＯＳＤ／スケーラ回路２７ｃ、映像出力回路２７ｄ、音声処理回路２７ｅ、および音声出力回路２７ｆなどを有している。
【００３５】
スイッチ２７ａは、前段側が、第１〜第３の各信号経路（３０ａ〜３０ｃ）に接続されており、後段側が、映像処理回路２７ｂおよび音声処理回路２７ｅに接続されている。そしてスイッチ２７ａは、演算制御部３１の指示に応じて、第１〜第３の各信号経路（３０ａ〜３０ｃ）の何れか一つを、映像処理回路２７ｂおよび音声処理回路２７ｅへ、切替可能に接続する。
【００３６】
これによりテレビ受像機２では、各入力端子（２１〜２３）の何れか一つを、有効（映像および音声信号の入力が可能）に設定することが可能となっている。つまりスイッチ２７ａによって、第１信号経路３０ａが後段側に接続されているときは、ＡＶ信号入力端子２１が有効に設定され、第２信号経路３０ｂが後段側に接続されているときは、ＨＤＭＩ端子２２が有効に設定され、第３信号経路３０ｃが後段側に接続されているときは、放送信号入力端子２３が有効に設定されることになる。なお、入力端子に入力された信号がアナログ信号であっても、スイッチ２７ａに到達するまでには、デジタル化されるようになっている。
【００３７】
映像処理回路２７ｂは、前段側から伝送された信号から映像信号を抽出し、ＯＳＤ／スケーラ回路２７ｃに出力する。またＯＳＤ／スケーラ回路２７ｃは、演算制御部３１の指示に応じて、前段側から伝送された映像信号に所定の処理を施し、当該映像信号の映像に所定のＯＳＤ表示（映像に重畳されるメッセージ等の表示）が表示されるようにする。また映像出力回路２７ｄは、ＯＳＤ／スケーラ回路２７ｃから受取った映像信号を、ＰＤＰモジュール２８に出力する。ＰＤＰモジュール２８は、ＰＤＰ［Plasma Display Panel］（以下、「パネル」と称する）を有しており、入力された映像信号の映像を表示する。
【００３８】
音声処理回路２７ｅは、前段側から伝送された信号から音声信号を抽出し、音声出力回路２７ｆに出力する。また音声出力回路２７ｆは、受取った音声信号をスピーカ２９に出力する。これによりスピーカ２９は、入力された音声信号の音声を出力する。
【００３９】
演算制御部３１は、例えばＣＰＵ等によって形成されており、テレビ受像機２の機能を発揮するために必要な各種処理を実行する。テレビ受像機２において実行される処理の内容については、改めて説明する。なお、演算制御部３１としては、例えば、リモコン信号の受信やチューナ２４の制御等を主に行うＣＰＵ（リモコンによってテレビ受像機２が電源ＯＦＦとされた状態でも電源が供給される）と、映像音声処理部２７やＰＤＰモジュール２８の制御等を主に行うＣＰＵとが別個に設けられ、相互に通信可能な仕様となっていてもよい。
【００４０】
メモリ３２は、演算制御部３１に読み出されるプログラム等、各種の情報を記憶する。また操作部３３は、例えば、押しボタンスイッチやリモコン受信装置などを有しており、ユーザによって操作される。また操作の内容は、演算制御部３１に伝送される。これにより演算制御部３１は、ユーザの意図を反映させた処理を実行することが可能である。
【００４１】
上述した構成のレコーダ１は、外部から映像情報を取得し、ＨＤＤ１７またはＤＶＤに記録する処理（録画処理）や、ＨＤＤ１７に記録されている情報をＤＶＤにコピー（複製）する処理（コピー処理）などを、単独で実行することが可能となっている。また上述した構成のテレビ受像機２は、テレビ放送局や外部機器から映像および音声情報を取得し、映像表示や音声出力を行う処理（映像音声出力処理）などを、単独で実行することが可能となっている。
【００４２】
そして更に両機が接続された状態、つまり映像処理システム９としては、レコーダ１に記録されている映像や音声情報を、テレビ受像機２で再生させる処理（録画再生処理）などが実行可能となる。また映像処理システム９は、レコーダ１においてコピー処理が完了したときに、テレビ受像機２に所定の動作（コピーの完了をユーザに報知する動作等）を実行させる処理（以下、便宜的に「コピー完了報知処理」と称する）を実行する。なおコピー完了報知処理は、後述する通り、ＨＤＭＩ規格のＣＥＣを利用して実行されるものである。
【００４３】
次に、コピー完了報知処理の内容について、図４に示すフローチャートを参照しながら、以下に説明する。
【００４４】
レコーダ１（演算制御部１４）は、通常時、ユーザによってコピーの実行指示がなされたかを監視する（ステップＳ１１）。そして当該実行指示（操作部１６における所定の操作）がなされたら（ステップＳ１１のＹ）、レコーダ１は、映像情報等のコピー（ＨＤＤ１７に記録されている映像および音声情報のうち、指示されている範囲の情報をＤＶＤに複製する処理）を開始する（ステップＳ１２）。
【００４５】
その後、当該コピーの処理が完了したら（ステップＳ１３のＹ）、レコーダ１は、コピー完了通知フラグが「ＯＮ」であるかを判断する（ステップＳ１４）。なお「コピー完了通知フラグ」は、メモリ１５に記録されている情報であり、予め「ＯＮ」か「ＯＦＦ」の何れかに設定されている。また「コピー完了通知フラグ」の状態は、ユーザの指示に応じて、適宜更新可能となっている。
【００４６】
そしてコピー完了通知フラグが「ＯＮ」であれば（ステップＳ１４のＹ）、レコーダ１は、テレビ受像機２に、所定の通知情報を送信する（ステップＳ１５）。そして通知情報の送信後、或いは、コピー完了通知フラグが「ＯＦＦ」であった場合は（ステップＳ１４のＮ）、レコーダ１は、ステップＳ１１の処理を繰り返す。
【００４７】
なお当該通知情報は、テレビ受像機２に所定の動作（ＯＳＤ表示の表示や、入力切替など）を実行させるためのものである。なお、当該動作の具体的内容は、後述の説明で明らかとなる。
【００４８】
また上述した通知情報の送信は、ＨＤＭＩ規格のＣＥＣを利用したものであり、通知情報は、ＨＤＭＩ規格のVendor Specific Command（ベンダーコマンド）が使用されたものとなっている。ベンダーコマンドの内容は、機器の製造元において任意に定義することが可能である。ここで参考のため、ＣＥＣによる通信フォーマットの一例を、表１および表２に示す。
【表１】
2010258488.tif 000003
【表２】
2010258488.tif 000004
【００４９】
なお１バイト目は、通信方向を表すものであり、例えば「０ｘ１０」であれば、レコーダ（論理アドレス：１）からテレビ受像機（論理アドレス：０）への通信を表す。また２バイト目は、後続する情報がベンダーの独自コードであるかを表し、例えば「０ｘ８９」であれば、独自コードであることを表す。
【００５０】
また３バイト目は、ここでは、「０ｘ１０」であれば「通知」を表し、「０ｘ１１」であれば「問い合わせ（取得要求）」を表す。また３バイト目が「０ｘ１０」であれば、４バイト目は、送信側の機器の状態を表し、５バイト目は、通知すべきメッセージの文字数を表し、６バイト目以降は、メッセージの文字コードを順に表す。なおＣＥＣによれば、送信側の機器から基本コマンドであるActive Sourceコマンドを受信した場合、受信側の機器においては、当該送信側の機器への入力切替が行われることになる。
【００５１】
一方、テレビ受像機２（演算制御部３１）は、レコーダ１からの通知情報の受信を監視する（ステップＳ２１）。そして通知情報を受信した場合には（ステップＳ２１のＹ）、演算制御部３１は、ＯＳＤ／スケーラ回路２７ｃの制御を通じて、映像信号に所定のＯＳＤ表示を重畳させる。これにより、当該ＯＳＤ表示が、ＰＤＰモジュール２８のパネルに表示される（ステップＳ２２）。
【００５２】
なお当該ＯＳＤ表示は、例えば図５に示すように、コピー処理が完了したことをユーザに報知するためのメッセージや、入力切替の要否を問うためのメッセージが含まれている。これによりユーザは、コピー処理が完了したことを、即座に知ることが可能となっている。また当該ＯＳＤ表示を実現するためのデータ（メッセージ内容等）は、通知情報に含まれる（レコーダ１側から送信される）ようになっていても良く、予めテレビ受像機２に登録されていても良い。
【００５３】
なお、テレビ受像機２が待機モード（不使用時に設定される、いわゆる「電源ＯＦＦ」の状態）である間に通知情報を受信した場合は、自動的に通常モード（使用時に設定される、いわゆる「電源ＯＮ」の状態）に切替り、上述したＯＳＤ表示が表示されるようになっていても良い。
【００５４】
また、上述したＯＳＤ表示が表示されている状態において、ユーザは、操作部３３における操作を通じて、入力切替の実行／不実行の選択（図５に示す「ＹＥＳ」と「ＮＯ」の何れかの選択）が可能となっている（ステップＳ２３）。なおここでの「入力切替」は、レコーダ１の接続されているＨＤＭＩ端子２２が有効に設定されていない場合、スイッチ２７ａの制御を通じて、このＨＤＭＩ端子２２を有効に設定する処理を指す。
【００５５】
そしてＹＥＳが選択された場合、すなわち、ユーザによる入力切替の実行の指示がなされた場合には（ステップＳ２３のＹ）、テレビ受像機２は、入力切替を実行する（ステップＳ２４）。これにより、レコーダ１側でコピー処理が実行されている間に、例えばテレビ受像機２がテレビ放送を受像していても（放送信号入力端子２３が有効に設定されていても）、ＨＤＭＩ端子２２が有効に設定される。
【００５６】
そのためユーザは、レコーダ１に与えられているＤＶＤを再生させるだけで、複製された映像をテレビ受像機２に表示させることができ、複製が正しく実行されたかを確認することができる。また入力切替がなされた後、或いは、入力切替の不実行が選択された場合（ステップＳ２３のＮ）には、テレビ受像機２は、ステップＳ２１の処理を繰り返す。
【００５７】
なおコピー完了報知処理の態様については、上述したものに限定されず、種々の変形を加えることができる。例えば、テレビ受像機２において、ＯＳＤ表示を表示させる処理（ステップＳ２２）と入力切替を行う処理（ステップＳ２３、Ｓ２４）の、一方のみが実施されるようにしてもよい。また、ユーザによる入力切替の実行指示が受付けられることなく（ステップＳ２３の処理が実行されることなく）、通知情報の受信がなされたときは、自動的に入力切替（ステップＳ２４）が実行されるようにしてもよい。
【００５８】
また、テレビ受像機２において入力切替（ステップＳ２４）が実行された場合には、その旨がレコーダ１側に通知され、今回のコピー処理によって複製された映像が自動的に再生される（ＤＶＤの再生が実行される）ようになっていてもよい。これによりユーザは、複製が正しく実行されたかを、より容易に確認することが可能となる。
【００５９】
上述した通り、本実施形態に係る映像処理ステム９においては、レコーダ１は、放送受信等によって取得した映像情報を、ＨＤＤ１７（第１記憶媒体）に記録する機能と、ＨＤＤ１７に記録されている映像情報を、ＤＶＤドライブ１８に与えられたＤＶＤ（第２記憶媒体）に書込んで複製する機能と、ＨＤＭＩ規格のＣＥＣによる制御信号を生成し、テレビ受像機２に送信する機能を備えている。
【００６０】
またレコーダ１は、複製の動作が完了したとき、コピー完了報知処理を実行させるための通知信号（制御信号の一種）を生成し、テレビ受像機２に送信するようになっている。なお通知信号は、テレビ受像機２に入力切替を実行させるための制御信号（設定指示信号）であるとともに、テレビ受像機２に所定のＯＳＤ表示を表示させるための制御信号（表示指示信号）であるとも言える。
【００６１】
そのためユーザは、テレビ受像機２の表示を通じて、複製の処理が完了したことを即座に知ることが可能であり、更に、複製が正しく実行されたかの確認（ＤＶＤの内容をテレビ受像機２に表示させることで可能）を、容易に行うことが可能である。またレコーダ１とテレビ受像機２の通信については、既に確立されているＣＥＣが利用されるため、新たな通信規格を設ける必要もなく、信頼性の高い通信が容易に実現されるようになっている。
【００６２】
以上、本発明の実施形態の一例について説明したが、本発明はこれらの内容に限定されるものではない。当該実施形態としては、本発明の主旨を逸脱しない範囲において、種々の改変を加えることが可能である。
【産業上の利用可能性】
【００６３】
本発明は、映像を処理する映像処理システムなどにおいて利用することができる。
【符号の説明】
【００６４】
１    ＨＤＤ／ＤＶＤレコーダ（映像記録装置）
２    テレビ受像機（映像表示装置）
３    ＨＤＭＩケーブル
９    映像処理システム
１１    映像音声取得部
１２    映像音声処理部
１３    ＨＤＭＩ端子
１４    演算制御部
１５    メモリ
１６    操作部
１７    ＨＤＤ
１８    ＤＶＤドライブ
２１    ＡＶ信号入力端子（入力端子の一つ）
２２    ＨＤＭＩ端子    （入力端子の一つ）
２３    放送信号入力端子（入力端子の一つ）
２４    チューナ
２５    ＤＥＭＵＸ回路
２６    ＡＶデコーダ
２７    映像音声処理部２７
２７ａ  スイッチ
２７ｂ  映像処理回路
２７ｃ  ＯＳＤ／スケーラ回路
２７ｄ  映像出力回路
２７ｅ  音声処理回路
２７ｆ  音声出力回路
２８    ＰＤＰモジュール
２９    スピーカ
３０ａ  第１信号経路
３０ｂ  第２信号経路
３０ｃ  第３信号経路
３１    演算制御部
３２    メモリ
３３    操作部
【図１】
2010258488.tif 000005
【図２】
2010258488.tif 000006
【図３】
2010258488.tif 000007
【図４】
2010258488.tif 000008
【図５】
2010258488.tif 000009